(57)【要約】【課題】枕やクッション、マット等の袋体に充填される詰め物材として、充填量を増減する際に作業性が向上する詰め物材を提供する。【解決手段】貫通孔１０ａを有する主体部材１０と、該主体部材１０の貫通孔１０ａに挿通されて複数の主体部材１０を連結する線状部材２０と備えた詰め物材１Ａであり、主体部材１０同士が線状部材２０によって連結されているため、枕内に充填する際に主体部材１０がこぼれ出にくい。また、枕内で主体部材１０の流動性が制限されるため、少量の主体部材１０であっても十分な枕高さを確保することができる。【選択図】図２
2016002437.tif 000002
【特許請求の範囲】
【請求項１】
支持対象を支持可能な可撓性の袋体内に充填される主体部材を複数具備した詰め物材であって、
前記複数の主体部材同士を連結する線状部材を備え、
所定数の主体部材が、前記線状部材の長手方向に沿って配列されて一つの構成体とされている
ことを特徴とする詰め物材。
【請求項２】
前記主体部材には貫通孔が設けられており、
該貫通孔に前記線状部材が挿通されることで該主体部材同士が連結している
請求項１に記載の詰め物材。
【請求項３】
前記線状部材は、両端が結束されて環状とされている
請求項２に記載の詰め物材。
【請求項４】
前記線状部材が、前記主体部材の連結方向に沿って伸縮可能な伸縮材料で構成されている
請求項１乃至請求項３のいずれか１項に記載の詰め物材。
【発明の詳細な説明】
【技術分野】
【０００１】
本発明は、枕やクッション、マット等の袋体に充填される詰め物材に関する。
【背景技術】
【０００２】
従来から、例えば人体の全部や一部を支えるための枕やクッション、マット等の支持用袋体に充填される詰め物材は既に提供されている。具体的には、そば殻、綿、又は羽毛等の自然材料や、ポリエチレン、ポリプロピレン、又はポリウレタン等の合成樹脂を筒又は球形状とした成形品がよく知られている。
【０００３】
例えば特許文献１では、枕用充填物として、酢酸セルロース、澱粉、ＣａＣＯ３或いはタルクを含有する成形材料を筒状体としたものが提案されている。また、特許文献２では、ガラス粉末を主体とした粒径３〜１５ｍｍ程度の無数の粒状発泡体が内部に詰め込まれている枕が提案されている。また、特許文献３では、閉塞中空部を形成する薄肉樹脂壁からなる詰め物材料が提案されており、該薄肉樹脂壁は、ポリオレフィン系樹脂やポリエステル樹脂で構成され、さらに繊維を含んでもよいことが開示されている。さらに、該詰め物材料を含むクッション材も提案されており、オフィス、家庭、あるいは自動車用のクッション材が例示されている。また、特許文献４では、仕切り又は小袋によって小室に分かれており、粒状物体が充填された詰め物体が提案されている。また、該粒状物体として樹脂発泡体、樹脂製ビーズ、木材チップ、竹チップ、樹脂製パイプのカット品、粒状繊維体、炭、穀物豆、そば殻、石及び植物の種が提案されており、該詰め物体として敷布団、ベッドパッド、敷きマット、クッション又は枕が例示されている。
【０００４】
そして、製造メーカや使用者個人が袋体内に詰め物材を充填することが可能となるように、袋体には、線ファスナー等によって開閉可能な充填口が設けられていることが一般的である。
【０００５】
また、人体等の支持対象を適切に支持すべく、あるいは使用者の嗜好によって、前記詰め物材の充填量が適宜調整されることも既に公知である。例えば、詰め物材の量を減少させて袋体の表面に発生する張力を抑え、使用者をソフトに包み込むような袋体とされたり、逆に詰め物材の充填量を増加させて高い反発力を有する袋体とされたりすることがある。また、特に枕にあっては、使用者の体型に応じて枕高さを調整するために、詰め物材の充填量が適宜調整される場合もある。
【先行技術文献】
【特許文献】
【０００６】
【特許文献１】特開２０００−７９０４０号公報
【特許文献２】特開２０００−３２５２０３号公報
【特許文献３】特開２００３−２４６６３号公報
【特許文献４】特開２００４−２０８９７４号公報
【発明の概要】
【発明が解決しようとする課題】
【０００７】
しかしながら、上記した従来構成は、使用感を考慮して各詰め物材が小片・小粒であることが一般的であるため、前記袋体に充填された詰め物材を出し入れする際に該詰め物材が誤ってこぼれ出してしまう問題があった。具体的には、前記充填口を開いたと同時に既に充填されていた詰め物材があふれ出てしまったり、希望する量の詰め物材を追加で充填しようと充填口から該詰め物材を入れるときに充填口の端からこぼれ出てしまったりすることがある。また、粒状の詰め物材にあっては、充填量が不足していると支持対象を支持した際に詰め物材が脇の方に流れてしまっていわゆる底付きが発生し、使用感を損ねるおそれがあった。特に、枕において底付きが発生してしまうと、その使用感は著しく低下してしまう。また、クッション等において、傾けて持つと中の詰め物材が一方に流れて偏りが生じ、不具合がでることもある。さらにまた、従来の詰め物材にあっては、上述のように粒状であるため、袋体に充填した状態では当該袋体内の通気性が悪化してしまい、全体として使用感や保全管理の点で不具合がでる場合があった。
【０００８】
そこで本発明は、袋体に充填される詰め物材を出し入れする際に袋体からこぼれ出にくく、また底付きを防止し、通気性を確保できる詰め物材を提供することを目的とする。
【課題を解決するための手段】
【０００９】
本発明は、支持対象を支持可能な可撓性の袋体内に充填される主体部材を複数具備した詰め物材であって、前記複数の主体部材同士を連結する線状部材を備え、所定数の主体部材が、前記線状部材の長手方向に沿って配列されて一つの構成体とされていることを特徴とする詰め物材である。
【００１０】
かかる構成の詰め物材は、複数準備されて、袋体内に充填されて使用される。ここで、本発明にかかる詰め物材は、主体部材同士がいわば数珠つなぎとなっているため、主体部材の充填量を増減させる際に、複数の主体部材をまとめた状態で取り扱うことができ、充填量を増やしたりあるいは減らしたりする作業において作業性が飛躍的に向上する。このように、複数の主体部材が単一の線状部材によって連結されていると、例えば粒状の主体部材が外に一気にこぼれ出てしまうことが抑制される。また、単一の線状部材に対してあらかじめ主体部材の配列数が定められている場合には、例えば、詰め物材の個数と袋体の厚みとのおよその相関関係が特定されることにより、袋体に充填すべき詰め物材の個数が容易に把握可能となる利点がある。さらに、上記構成とすることにより、前記袋体内における主体部材の流動性を線状部材によって制限することが可能となり、該詰め物材を、多数の主体部材のみを使用していた従来構成に比していわば嵩高な塊とすることができる。このため、従来に比して少量の主体部材を充填するだけで袋体に対して十分な厚み（例えば床面からの枕高さ）を与えることが可能となり、袋体の厚みが確保しやすくなるという利点がある。さらに、本発明にかかる構成は、支持対象を支持した際にも、主体部材の流動性が制限されることで該主体部材が袋体内において脇の方に過剰に流れてしまうことがなくなるため、いわゆる底付きが好適に防止できる。また、本発明にかかる詰め物材は、上述のように嵩高な構造体であるため、支持対象を支持した状態でも袋体内において十分な空隙を確保することができ、袋体内の通気性を良好とすることができる。
【００１１】
また、前記主体部材には貫通孔が設けられており、該貫通孔に前記線状部材が挿通されることで該主体部材同士が連結している構成が望ましい。
【００１２】
かかる構成とすることにより、主体部材を簡素な構造としつつ、容易に主体部材同士を線状部材によって連結することができ、全体として製造コストを低減できる利点がある。
【００１３】
また、前記線状部材は、両端が結束されて環状とされていることが好ましい。
【００１４】
かかる構成とすることにより、複数の主体部材を有する詰め物材が全体としてまとまりが良くなり、取り扱い性が向上する利点がある。
【００１５】
また、前記線状部材が、前記主体部材の連結方向に沿って伸縮可能な伸縮材料で構成されていることが望ましい。
【００１６】
かかる構成においては、前記線状部材が長手方向に伸縮性を有していることで、前記袋体内における前記主体部材の流動性を適度に高めて袋体に柔軟性を付与することが可能となり、より一層微細に袋体の使用感を調整することができる。
【発明の効果】
【００１７】
本発明の詰め物材は、充填量を調整する際に粒の状態でこぼれ出ることがなく、充填量調整時の作業性が向上する利点がある。また、主体部材同士の流動性を抑制し、詰め物材として嵩高とすることができ、従来に比して少量の主体部材で所望の厚みを確保することができる効果がある。また、本発明は、底付きを防止し、通気性を確保することができる。
【図面の簡単な説明】
【００１８】
【図１】袋体としての枕を示し、（ａ）は平面図、（ｂ）は正面図である。
【図２】詰め物材を示す外観斜視図である。
【図３】調節口周辺を示す説明図である。
【図４】他の実施例にかかる詰め物材の概略図である。
【発明を実施するための形態】
【００１９】
以下、本発明の詰め物材を具体化した実施例を詳細に説明する。なお、本発明は、下記に示す実施例に限定されることはなく、適宜設計変更が可能である。
【００２０】
図１に示すように、支持対象を人の頭部及び首部とする枕５０内には、本発明にかかる詰め物材１Ａ（図２参照）が充填されている。
【００２１】
まず、枕５０の形状について説明する。
枕５０は、可撓性で袋状をなし、床面に設置された状態で平面視左右対称形状とされている。また、表側面５０ａには、通気性を確保したポリエステル繊維が用いられている。一方、床面に接触する裏側面５０ｂには、綿が用いられている。
【００２２】
また、前記枕５０の中央には、使用者の後頭部を支持するための小室部５１と、首部を支持するための小室部５２とが設けられている。さらに、該小室部５２の左右両側には、首部を側方から支持するための小室部５３が設けられ、さらに該小室部５３の左右両側には、寝返りをうった際の側頭部を支持するための小室部５４が設けられている。また、該枕５０の内部空間にあっては、各小室部５１〜５４が各々独立した空間となるように間仕切りされている。
【００２３】
また、前記枕５０の裏側面５０ｂには、詰め物材１Ａの出し入れを行なうため、各小室部５１〜５４ごとにそれぞれ調節口５１ａ〜５４ａが設けられている。さらに詳述すると、各調節口５１ａ〜５４ａは、それぞれ線ファスナーによって構成されており、通常時は閉塞され、適時に開閉可能となっている。なお、本実施例における枕５０の縦長は約３７０ｍｍであり、横幅は約７３０ｍｍであり、そして厚みは約２〜６０ｍｍである。
【００２４】
次に、前記枕５０内に充填する詰め物材１Ａについて詳述する。
【００２５】
図２に示すように、詰め物材１Ａは、弾性を有する円筒形状の主体部材１０を具備し、該主体部材１０の内空部を貫通孔１０ａとしている。さらに、該貫通孔１０ａには、伸縮性のあるポリウレタン製で構成された紐からなる線状部材２０が挿通され、該線状部材２０の長手方向に沿って該主体部材１０が複数配列されて互いに連結されている。そして、該線状部材２０の両端は、互いに結びつけられることで、該詰め物材１Ａがいわゆる数珠のように環状とされている。
【００２６】
前記主体部材１０としては、一例として、外径が約４ｍｍ、内径が約３ｍｍ、及び長さが約６ｍｍの円筒部材が採用可能である。また、例えば、線状部材２０としては、外径が約１ｍｍ、及び長さが約１〜３ｍの紐が採用可能である。
【００２７】
主体部材１０としては弾性を有する材料が用いられることが好ましく、エラストマーや、ポリエチレン、ポリプロピレン等のポリオレフィン、ポリウレタン、ＡＢＳ樹脂等の合成ゴム材料、天然ゴム等が例示される。またそれらに繊維材料が混合されていても構わない。
【００２８】
線状部材２０の材料としては使用中に切断されない程度の剛性を有していれば特に限定されないが、生産性、強度の点から綿糸、麻糸、ナイロン繊維、ウレタン繊維、ポリエステル繊維、アクリル繊維、ポリウレタン繊維等が採用可能である。
【００２９】
次に、枕５０の各小室部５１〜５４に、詰め物材１Ａを充填する作業工程について説明する。なお、各小室部５１〜５４には、上記詰め物材１Ａを画一的に各々充填してもよいし、後述するような他の形状からなる詰め物材１Ｂ，１Ｃを適所に合わせて充填するようにしてもよい。
【００３０】
例えば、図３に示すように、前記小室部５４に設けられている調節口５４ａを開いて、詰め物材１Ａを所定個数だけ充填していく。ここで、作業中に、小さな粒状体の主体部材１０が前記調節口５４ａからはみ出ても、前記線状部材２０によって他の主体部材１０と連結しているため、該主体部材１０が単体で粒状に外部にこぼれ出てしまうことがない。また、該詰め物材１Ａは、環状であるため、全体としてコンパクトにまとめられていることで取り扱い性に優れている。また、単一の線状部材２０に対してあらかじめ主体部材１０の配列数を定めておくことにより、例えば、詰め物材１Ａの個数と充填適正量とのおよその相関関係が概略的に特定されることにより、充填すべき詰め物材１Ａの個数を容易に把握することも可能となる。なお、詰め物材１Ａを製造するに際し、主体部材１０を、貫通孔１０ａが中央を貫く部材形状とすることにより、複数の主体部材１０に対して容易に線状部材２０を順次挿通していくことが可能となる。
【００３１】
さらに、上記詰め物材１Ａは、前記枕５０内における主体部材１０の流動性を線状部材２０によって制限することが可能となり、該詰め物材１Ａ全体を、嵩高な塊とすることができるため、従来に比して少量の主体部材１０を充填するだけで枕５０の厚み（床面からの枕高さ）を十分に確保することが可能となる。また、支持対象の頭部等を支持した際にも、主体部材１０の流動性が制限されることで該主体部材１０が枕５０内において脇の方に過剰に流れてしまうことがなくなるため、いわゆる底付きが好適に防止できる。また、詰め物材１Ａは、上述のように嵩高な構造体であるため、頭部等を支持した状態でも枕５０内において十分な空隙を確保することができ、枕５０内の通気性を良好とすることができる。また、枕５０を傾けても、内容物である主体部材１０に偏りが生じにくい。
【００３２】
また、前記線状部材２０を、その長手方向に伸縮性を有する紐体で構成することにより、主体部材１０の枕５０内での流動性を適度に高めることが可能となり、小室部５４内での主体部材１０のなじみが良くなり、該小室部５４に適度な柔軟性を与えることが可能となる。したがって、従来と変わらぬ良好な枕５０の使用感（安心感、安定感、好適な寝心地）を確保することができる。
【００３３】
なお、これまでに述べたような構成とすると、例えば、枕を販売するメーカは、詰め物材１Ａのみを販売し、そして、使用者であるユーザー自身で詰め物材１Ａの増減作業を容易に行わせることが可能となる。
【００３４】
また、他の形態の主体部材１５，１６が提案される。
例えば、図４ａに示すように、中実な球体部材に貫通孔１５ａを設けて主体部材１５とし、該貫通孔１５ａに線状部材２０を挿通させて詰め物材１Ｂとしてもよい。
【００３５】
また、図４ｂに示すように、中空な球体部材に貫通孔１６ａを設けて主体部材１６とし、該貫通孔１６ａに線状部材２０を挿通させて詰め物材１Ｃとしてもよい。
【００３６】
また、これまでに述べた構成に代えて、例えば、主体部材１０，１５，１６の側壁に貫通孔が設けられていてもよい。また、線状部材２０は環状とする必要はなく、紐状体とされていてもよい。また、線状部材２０の端部と主体部材１０，１５，１６とを熱溶着して相互を固結するようにしてもよい。また、接着剤によって線状部材２０の端部と主体部材１０，１５，１６とを固結するようにしてもよい。また、複数の詰め物材１Ａ，１Ｂ，１Ｃ同士が適宜連結され、二以上の線状部材２０を具備する構成体であってもよい。また、単一の線状部材２０に形状の異なる主体部材１０，１５，１６同士が配列された構成としてもよい。なお、単一の詰め物材１Ａ，１Ｂ，１Ｃに配列される主体部材１０，１５，１６の数は適宜変更可能である。また、本発明は、非伸縮性の線状部材を用いることを積極的に排除するものではない。
【００３７】
また、上記実施例では枕５０を例にして説明したが、枕５０に限定されることはなく、クッションやマット等の袋体全般が使用対象となる。
【符号の説明】
【００３８】
１Ａ〜１Ｃ                        詰め物材
１０，１５，１６                  主体部材
１０ａ，１５ａ，１６ａ            貫通孔
２０                              線状部材
５０                              枕（袋体）
【図１】
2016002437.tif 000003
【図２】
2016002437.tif 000004
【図３】
2016002437.tif 000005
【図４】
2016002437.tif 000006